(57)【要約】【課題】再封および再開封が容易で、チャイルドレジスタント機能を有し、かつ、初回開封時の不正開封に対するタンパレジスタント機能を備えるＰＴＰシート用包装体を提供する。【解決手段】包装体１０は、ベースシート２０とカバーシート３０とで構成される保持部１２を備え、保持部１２は、ＰＴＰシート７０の両長辺部７４を挟持してＰＴＰシート７０を長手方向に移動可能に保持する。保持部１２にはＰＴＰシート７０の長手方向の移動を制限する係止部１８が設けられる。包装体１０は、ＰＴＰシート７０の長手方向端面と当接可能な当接部１４を更に備え、当接部１４がＰＴＰシート７０と当接可能な第１状態と、当接部１４がＰＴＰシート７０と当接しない第２状態との間で変形可能である。ベースシート２０には、開口部２４を構成する開口予定部２２が設けられる。開口部２４は、第１状態では収容部７２と対向できず、第２状態で収容部７２と対向可能である。【選択図】図１
2018131214.tif 000002
【特許請求の範囲】
【請求項１】
ベースシートと、ＰＴＰシートの収容部が突出可能な窓部が形成されたカバーシートとで構成される保持部を備えるＰＴＰシート用包装体であって、
前記保持部は、前記ＰＴＰシートの両長辺部を前記ベースシートおよび前記カバーシートの間で挟持して、前記ＰＴＰシートを長手方向の移動が可能となるように保持し、
前記保持部の長手方向端部の一方には、前記ＰＴＰシートを係止して前記ＰＴＰシートの長手方向の移動を制限する係止部が設けられ、
前記包装体は、前記ＰＴＰシートの前記係止部とは反対側の長手方向端面と当接可能な当接部を更に備えるとともに、前記当接部が前記ＰＴＰシートと当接可能な第１状態と、前記当接部が前記ＰＴＰシートと当接しない第２状態との間で変形可能であり、
前記ベースシートの前記当接部と同じ側の長手方向端部には、開口部を構成する開口予定部が設けられ、
前記開口部は、前記第１状態での前記ＰＴＰシートの移動可能範囲内では前記収容部と対向せず、前記第２状態での前記ＰＴＰシートの移動可能範囲内では前記収容部と対向可能である、
ＰＴＰシート用包装体。
【請求項２】
前記第１状態において、前記当接部は、前記開口部の内側を貫通して、前記ベースシートの前記開口部の開口端面、前記ＰＴＰシートの長手方向端面および前記カバーシートの前記窓部の開口端面からなる群から選択される少なくとも１つの部位と係合する、請求項１に記載のＰＴＰシート用包装体。
【請求項３】
前記保持部の前記係止部とは反対側の長手方向端面に、折り曲げ部を介して連なるヘッダ部が設けられ、
前記当接部は、前記ヘッダ部の一方の面から突出する突起部であり、
前記第１状態において、前記ヘッダ部と前記保持部とが、前記折り曲げ部が前記突起部を内側にして前記突起部が前記開口部と対向するように折り重なり、前記突起部が前記開口部または前記窓部と嵌合する、
請求項２に記載のＰＴＰシート用包装体。
【請求項４】
前記開口予定部は、切断予定線と折り目線とに囲まれ、前記切断予定線の切断により舌片部を形成する領域であり、
前記当接部は、前記舌片部の前記折り目線とは反対側の端面に設けた凸状部である、
請求項２に記載のＰＴＰシート用包装体。
【請求項５】
前記ベースシートおよび前記カバーシートとの間隙の外周から所定の範囲内に、前記ベースシートと前記カバーシートとを接合する接着剤層が設けられ、前記ＰＴＰシートが通過可能な空隙が形成されていない、
請求項１〜４のいずれか一項に記載のＰＴＰシート用包装体。
【請求項６】
前記カバーシートには、短手方向において対向する前記収容部の側面の間を長手方向に延びて前記カバーシートの長手方向両端部と連なる橋梁部が設けられている、
請求項１〜５のいずれか一項に記載のＰＴＰシート用包装体。
【請求項７】
前記ベースシートの前記開口予定部と同じ側の長手方向端面に折り曲げ部を介して連なるヘッダ部を前記当接部として更に備え、
前記カバーシートは、長手方向の前記開口予定部側に前記ＰＴＰシートが通過可能な空隙を有し、
前記第１状態では、前記ヘッダ部が前記開口部を覆うように前記ヘッダ部と前記ベースシートとが折り重ねられて、前記ヘッダ部と前記カバーシートの前記開口予定部側の長手方向端面とが対向する、
請求項１に記載のＰＴＰシート用包装体。
【請求項８】
前記カバーシートの前記窓部には、前記収容部の何れかが前記開口部と対向する位置において、前記収容部の何れかの側面と当接して前記ＰＴＰシートを保持する凹部が設けられている、請求項１〜７のいずれか一項に記載のＰＴＰシート用包装体。
【請求項９】
前記ベースシートの前記ＰＴＰシートと対向する面に、前記ＰＴＰシートに収容された前記収容物の服用回数に応じた服用情報が印刷されている服用情報領域を設けた、請求項１〜８のいずれか一項に記載のＰＴＰシート用包装体。
【請求項１０】
前記服用情報領域が、前記ＰＴＰシートと対向する領域に設けられ、前記収容物の服用回数に応じた服用指示情報が印刷されている服用指示領域と、前記カバーシートの長辺部の一方に隣接して前記カバーシートと対向しない領域に設けられ、前記収容物の服用回数に応じた記入スペースを有する情報記入領域とを含む、請求項９に記載のＰＴＰシート用包装体。
【発明の詳細な説明】
【技術分野】
【０００１】
本発明は、ＰＴＰシートを収容可能なＰＴＰシート用包装体に関する。
【背景技術】
【０００２】
錠剤やカプセル等の収容物をシート上に包装したＰＴＰ（Press Through Package）シートが広く知られている。ＰＴＰシートは、例えば、硬質のプラスチック等からなり、収容物を収容する収容部が形成されている本体と、アルミニウム箔等からなり、収容部の開口を覆うように本体に貼着される封止シートとを備える。これにより、収容物を外部から目視により確認でき、収容部側から封止シートを破るように押し出すことで容易に収容物を取り出すことができる。
【０００３】
例えばこうしたＰＴＰシートに薬剤を収容した場合、乳幼児や小児の偶発的な行動または悪戯によって、ＰＴＰシートから薬剤が取り出され、これを当該小児等が誤飲するおそれがあった。そこで従来より、小児等の誤飲等を防止するいわゆるチャイルドレジスタント機能（ＣＲ機能）を付与するため、ＰＴＰシートに収容された薬剤の取り出しを制限する構造を設けたＰＴＰシート用包装体が提案されている。
【０００４】
特許文献１には、ポケットの１列に対応して薬剤を外部に取り出す孔が形成されたベースシートと、薬剤シートの両側部を挟持する折返部とを備え、複数のスライド位置で薬剤シートを保持する保持部が折返部に形成されている薬剤シート用包装体が開示されている。特許文献１によれば、薬剤を取り出す操作性能を損なうことなく、子供などによって偶発的に又は不用意には薬剤が取り出せない保護機能を兼ね備えた、薬剤シート用包装体が提供されるとされている。
【０００５】
特許文献２には、ブリスター容器とホルダーとを備える二重包装体であって、ホルダーは、窓部があけられた正面パネルと背面パネルとを備え、正面パネルの上部に形成された１対のスライド溝による第１のストッパ機構および第２のストッパ機構を備え、第２のストッパ機構によってブリスター容器のスライド移動が係止するときに内容物を取出し可能にする内容物取出し部が背面パネルに形成されている、二重包装体が開示されている。特許文献２によれば、当該二重包装体により、ブリスター容器の２段階のスライド移動を実現し、第２のストッパ機構によってスライド移動が係止したときにはじめてブリスター容器の内容物を外に取り出すことができることから、ブリスター容器内の内容物が不用意に取り出されないようにすることが簡易に実現されるとされている。
【先行技術文献】
【特許文献】
【０００６】
【特許文献１】特開２０１６−１５５５６５号公報
【特許文献２】特開２０１６−８８５３３号公報
【発明の概要】
【発明が解決しようとする課題】
【０００７】
しかしながら、特許文献１および２の技術では、小児等に対するチャイルドレジスタント機能を包装体に付与することはできるものの、成人等の悪意によるまたは無意識の操作によって、ＰＴＰシート等が不正に開封されることを抑止する、いわゆるタンパレジスタント機能を十分備えるとはいえない。なぜなら、特許文献１および２に記載の包装体はいずれも、当該所定の操作によって、収容物の取り出し、或いは、収容部を覆う封止シートの露出が容易に行えるためである。よって、ＰＴＰシートの包装体に対しては、小児等の誤飲等を防止するチャイルドレジスタント機能（ＣＲ機能）に加えて、初回開封時の不正開封に対するタンパレジスタント機能をも具備することが望まれていた。また、特許文献２の技術では、第１のストッパ機構による係止を解除して収容物を取り出し可能とするにはブリスター容器の先端部を摘み出す必要があるが、このような動作は、成人等、特に高齢者等の力の弱い者にとって容易ではない。
【０００８】
そこで、本発明は、再封および再開封が容易で、小児等の偶発的な行動または悪戯による誤飲を防止するチャイルドレジスタント機能を有していながら、なおかつ、初回開封時の不正開封に対するタンパレジスタント機能をも具備するＰＴＰシート用包装体を提供することを目的とする。
【課題を解決するための手段】
【０００９】
本発明の包装体は、ベースシートと、ＰＴＰシートの収容部が突出可能な窓部が形成されたカバーシートとで構成される保持部を備えるＰＴＰシート用包装体であって、前記保持部は、前記ＰＴＰシートの両長辺部を前記ベースシートおよび前記カバーシートの間で挟持して、前記ＰＴＰシートを長手方向の移動が可能となるように保持し、前記保持部の長手方向端部の一方には、前記ＰＴＰシートを係止して前記ＰＴＰシートの長手方向の移動を制限する係止部が設けられ、前記包装体は、前記ＰＴＰシートの前記係止部とは反対側の長手方向端面と当接可能な当接部を更に備えるとともに、前記当接部が前記ＰＴＰシートと当接可能な第１状態と、前記当接部が前記ＰＴＰシートと当接しない第２状態との間で変形可能であり、前記ベースシートの前記当接部と同じ側の長手方向端部には、開口部を構成する開口予定部が設けられ、前記開口部は、前記第１状態での前記ＰＴＰシートの移動可能範囲内では前記収容部と対向せず、前記第２状態での前記ＰＴＰシートの移動可能範囲内では前記収容部と対向可能である、ことを特徴とする。
【００１０】
好適な態様では、前記第１状態において、前記当接部は、前記開口部の内側を貫通して、前記ベースシートの前記開口部の開口端面、前記ＰＴＰシートの長手方向端面および前記カバーシートの前記窓部の開口端面からなる群から選択される少なくとも１つの部位と係合する。
【００１１】
他の好適な態様では、前記保持部の前記係止部とは反対側の長手方向端面に、折り曲げ部を介して連なるヘッダ部が設けられ、前記当接部は、前記ヘッダ部の一方の面から突出する突起部であり、前記第１状態において、前記ヘッダ部と前記保持部とが、前記折り曲げ部が前記突起部を内側にして前記突起部が前記開口部と対向するように折り重なり、前記突起部が前記開口部または前記窓部と嵌合する。
【００１２】
他の好適な態様では、前記開口予定部は、切断予定線と折り目線とに囲まれ、前記切断予定線の切断により舌片部を形成する領域であり、前記当接部は、前記舌片部の前記折り目線とは反対側の端面に設けた凸状部である。
【００１３】
他の好適な態様では、前記ベースシートおよび前記カバーシートとの間隙の外周から所定の範囲内に、ベースシートとカバーシートとを接合する接着剤層が設けられ、ＰＴＰシートが通過可能な空隙が形成されていない。
【００１４】
他の好適な態様では、前記カバーシートには、短手方向において対向する前記収容部の側面の間を長手方向に延びて前記カバーシートの長手方向両端部と連なる橋梁部が設けられている。
【００１５】
他の好適な態様では、前記ベースシートの前記開口予定部と同じ側の長手方向端面に折り曲げ部を介して連なるヘッダ部を前記当接部として更に備え、前記カバーシートは、長手方向の前記開口予定部側に前記ＰＴＰシートが通過可能な空隙を有し、前記第１状態では、前記ヘッダ部が前記開口部を覆うように前記ヘッダ部と前記ベースシートとが折り重ねられて、前記ヘッダ部と前記カバーシートの前記開口予定部側の長手方向端面とが対向する。
【００１６】
他の好適な態様では、前記カバーシートの前記窓部には、前記収容部の何れかが前記開口部と対向する位置において、前記収容部の何れかの側面と当接して前記ＰＴＰシートを保持する凹部が設けられている。
【００１７】
他の好適な態様では、前記ベースシートの前記ＰＴＰシートと対向する面に、前記ＰＴＰシートに収容された前記収容物の服用回数に応じた服用情報が印刷されている服用情報領域を設けている。
【００１８】
他の好適な態様では、前記服用情報領域が、前記ＰＴＰシートと対向する領域に設けられ、前記収容物の服用回数に応じた服用指示情報が印刷されている服用指示領域と、前記カバーシートの長辺部の一方に隣接して前記カバーシートと対向しない領域に設けられ、前記収容物の服用回数に応じた記入スペースを有する情報記入領域とを含む。
【発明の効果】
【００１９】
本発明によれば、再封および再開封が容易で、小児等の偶発的な行動または悪戯による誤飲を防止するチャイルドレジスタント機能を有していながら、なおかつ、初回開封時の不正開封に対するタンパレジスタント機能をも具備するＰＴＰシート用包装体を提供することができる。
【図面の簡単な説明】
【００２０】
【図１】本発明の実施形態の一例であるＰＴＰシート用包装体を示す正面図および側面図である。
【図２】図１の包装体を構成するベースシートおよびカバーシートを示す正面図である。
【図３】ＰＴＰシートの一例を示す正面図である。
【図４】図１の包装体の再封状態の一例を示す図である。
【図５】本発明の実施形態の他の例であるＰＴＰシート用包装体を示す正面図である。
【図６】図５の包装体を構成するベースシートおよびカバーシートを示す正面図である。
【図７】図５の包装体の再封状態の一例を示す図である。
【図８】本発明の実施形態の他の例であるＰＴＰシート用包装体を示す正面図である。
【図９】図８の包装体を構成するベースシートおよびカバーシートを示す正面図である。
【図１０】包装体を構成するベースシートの他の例を示す正面図である。
【図１１】本発明の実施形態の他の例であるＰＴＰシート用包装体およびその使用状態の一例を示す図である。
【図１２】本発明の実施形態の他の例であるＰＴＰシート用包装体およびその使用状態の一例を示す図である。
【図１３】本発明の実施形態の他の例であるＰＴＰシート用包装体およびその使用状態の一例を示す図である。
【発明を実施するための形態】
【００２１】
以下、図面を参照しながら、実施形態の一例について詳細に説明する。但し、本発明の包装体は、以下で説明する実施形態に限定されない。実施形態の説明で参照する図面は模式的に記載されたものであり、図面に描画された構成要素の寸法などは以下の説明を参酌して判断されるべきである。
【００２２】
［第１の実施形態］
図１は、実施形態の一例であるＰＴＰシート用包装体（以下単に「包装体」ともいう）１０を示す。図１（ａ）は包装体１０の正面図である。図１（ｂ）は包装体１０の側面図である。また、図２（ａ）は、図１に示す包装体１０を構成するベースシート２０を示す正面図であり、図２（ｂ）は、図１に示す包装体１０を構成するカバーシート３０を示す正面図である。図１および図２に示すように、包装体１０は、ベースシート２０とカバーシート３０とで構成される保持部１２を備え、保持部１２の下端部に設けた係止部１８を備える。包装体１０は、さらに、折り曲げ部４２を介して保持部１２と連なるヘッダ部４０を備え、ヘッダ部４０の一方の面から突出する突起部４４が設けられている。
【００２３】
本明細書におけるシート状の物品に対する「正面」および「背面」との記載については、ベースシート２０を例にとると、「正面」とはベースシート２０に対してＰＴＰシート７０が対向する側の面を意味し、「背面」とは正面と反対側の面を意味する。また、本明細書では、「上下方向」は包装体１０およびＰＴＰシート７０の長手方向に沿った方向であり、同じく「左右方向」は包装体１０およびＰＴＰシート７０の短手方向に沿った方向である。また、本明細書では、図１で示す包装体１０の上下方向の中央から見て、開口予定部２２に近づく方向を「上」または「上方」などといい、係止部１８に近づく方向を「下」または「下方」などという。
【００２４】
図３に、包装体１０に収容されるＰＴＰシート７０の一例を示す正面図である。ＰＴＰシート７０は、硬質のプラスチック等からなり、複数の突出する収容部７２および収容部７２を取り囲むフランジ部が形成された本体と、アルミニウム箔等からなり、収容部７２の開口を覆うように当該本体に貼着される封止シートとを備える。ＰＴＰシート７０の収容部７２には経口投与される錠剤、カプセル剤等の医療用医薬品、又は、タブレット型の菓子等の収容物８２が収容される。
【００２５】
図３に示すＰＴＰシート７０では、縦（上下方向）に５個、横（左右方向）に２個の収容部７２が、互いに間隔をあけて整列している。また、図３に示すＰＴＰシート７０には、収容部７２の横一列（２個）毎にＰＴＰシート７０を区分するミシン目８０が形成されている。ミシン目８０は本体および封止シートの両方を貫通するように形成されている。以下、本実施形態に係る包装体１０として、図３に示すＰＴＰシート７０を収容する場合について記載するが、収容部７２の個数、配列、形状、配置等が異なるＰＴＰシート７０についても、本明細書の説明に基づいて適切な形状等を選択することで収容可能となることは明白である。
【００２６】
図１および図２に戻り、保持部１２は、ベースシート２０およびカバーシート３０を重ね合わせた積層体により構成される。保持部１２の外周形状は、ベースシート２０およびカバーシート３０の外周形状と略同じであり、正面視で左右方向より上下方向が長い略矩形状である。保持部１２では、ＰＴＰシート７０の正面がカバーシート３０に面し、ＰＴＰシート７０の背面がベースシート２０に面する。カバーシート３０には、ＰＴＰシート７０の収容部７２が突出可能な窓部３２が形成されており、ＰＴＰシート７０の両長辺部７４、より具体的には、収容部７２とＰＴＰシート７０の長辺との間にあるフランジ部をベースシート２０およびカバーシート３０の間で挟持することで、ＰＴＰシート７０を保持する。このように、ＰＴＰシート７０は、接着剤等を用いずに長辺部７４が挟持されているのみであるため、ＰＴＰシート７０は、包装体１０に収容されたまま上下方向の移動が可能である。また、ＰＴＰシート７０の収容部７２は窓部３２を通して表面に露出しているため、包装体１０に収容されたまま、収容部７２を押圧することも可能となる。
【００２７】
ベースシート２０は、例えば、板紙、厚紙等の台紙で構成される。また、ベースシート２０は、後述するカバーシート３０を構成するものとして使用可能なプラスチックシートで構成されていてもよい。ベースシート２０の厚みは、例えば、０．２ｍｍ〜１．５ｍｍ程度であり、好ましくは０．５ｍｍ〜１．０ｍｍである。ベースシート２０には、収容物８２の名称、成分、服用方法、効能等の各種情報等が印刷される。
【００２８】
カバーシート３０は、例えば、無色透明なプラスチックシートから構成される。これにより、包装体１０に収容されたＰＴＰシート７０および収容物８２を視認できる。カバーシート３０を構成するプラスチックシートは、例えば、ポリエステルを主成分とする、硬質で熱成形可能な無色透明の樹脂を用いて形成される。カバーシート３０を構成する好適な樹脂の一例としては、例えば、非延伸の非結晶性ポリエステル（Ａ−ＰＥＴ）等のポリエチレンテレフタレート（ＰＥＴ）が挙げられる。また、ポリエステル以外に、ポリプロピレン、ポリ塩化ビニル、ポリスチレン等を用いてもよく、単層又は多層のプラスチックシートで構成されていてもよい。カバーシート３０を構成するプラスチックシートは、後述する窓部３２、折り曲げ部４２、ヘッダ部４０および突起部４４を備える形状を有しており、例えばＡ−ＰＥＴからなるシート材をプレス成形（真空成形又は熱成形等）することによって、製造される。カバーシート３０の厚みは、例えば０．１ｍｍ〜１．０ｍｍ、好ましくは０．２ｍｍ〜０．５ｍｍである。
【００２９】
窓部３２は、ＰＴＰシート７０の収容部７２が突出可能なように形成されている。図１に示す包装体１０では、５個並んだ収容部７２の縦１列に対応し、且つ、ＰＴＰシート７０が上下方向に移動可能であるように、上下方向に延びる窓部３２が２つ設けられている。窓部３２の形状および配置等は、収容するＰＴＰシート７０の形状や収容部７２の配置、ベースシート２０とカバーシート３０を貼着する接着剤の塗布領域等に応じて決定される。縦１列の収容部７２に対応させた窓部３２を設ける場合の左右方向の幅は、例えば、収容部７２の直径に対して２％以上５％以下の範囲とすればよい。窓部３２の長辺に形成される凹部３６、および、窓部３２間の部材である橋梁部３４については後述する。
【００３０】
図１に示す包装体１０では、ベースシート２０とカバーシート３０との間隙の、外周（長辺および短辺）から所定の範囲内の領域に、接着剤を連続的に塗布してなる接着剤層１６が形成されており、当該接着剤層１６によりベースシート２０とカバーシート３０とが接合されている。そのため、保持部１２のベースシート２０とカバーシート３０との間隙には、ＰＴＰシート７０が通過可能な空隙が形成されていない。接着剤層１６の範囲は、包装体１０およびＰＴＰシート７０のそれぞれの形状およびサイズ、並びに接着剤の種類等に基づいて適宜設定すればよいが、例えば、保持部１２の外周から２ｍｍ以下の範囲に設ければよい。また、接着剤層１６は、ＰＴＰシート７０が通過できない程度に断続的に設けられていてもよい。
【００３１】
係止部１８は、保持部１２の下端部に設けられ、ＰＴＰシート７０を係止する。図１に示す包装体１０では、保持部１２の下端部に設けられた、ベースシート２０およびカバーシート３０を接合する接着剤層１６によって係止部１８が構成される。係止部１８は、ＰＴＰシート７０を係止して、ＰＴＰシート７０が包装体１０の下端面を超えて下方に移動することを阻止できる。よって係止部１８は、後述するＰＴＰシート７０の移動可能範囲の下端を規定しているとも言える。
【００３２】
ヘッダ部４０は、保持部１２の上端面に折り曲げ部４２を介して連設されており、ヘッダ部４０の正面には、ヘッダ部４０から突出する突起部４４が当接部１４として設けられている。図４は、図１に示す包装体１０のヘッダ部４０を折り曲げ部４２で折り曲げてなる変形状態の一例である。このように折り曲げ部４２で折り曲げることにより、ヘッダ部４０と保持部１２とが折り重ねられる。このとき突起部４４は、窓部３２の上端部内部およびベースシート２０の後述する開口部２４の内部を通過するようにして、窓部３２に嵌合する。窓部３２に嵌合した突起部４４の側面は、ＰＴＰシート７０の上端面７６と当接可能になる。折り曲げ部４２での折り曲げを伸ばし、突起部４４が保持部１２のカバーシート３０側から離れると、突起部４４がＰＴＰシート７０の上端面７６と当接できなくなる。このように、本実施形態の包装体１０では、当接部１４がＰＴＰシート７０の上端面７６と当接可能な第１状態と、当接部１４がＰＴＰシート７０の上端面７６と当接しない第２状態とで変形する構成は、保持部１２と連設し、一方の面に突起部４４を設けたヘッダ部４０と、ヘッダ部４０および保持部１２の間に設けた折り曲げ部４２により実現される。
【００３３】
ヘッダ部４０は、保持部１２と左右方向の幅が同じである平坦状部位である。ヘッダ部４０の上下方向の幅は、ヘッダ部４０と保持部１２との折り重ねに支障が無く、折り曲げ部４２での折り曲げによってベースシート２０の開口部２４と対向する位置に突起部４４を配置可能である限り、特に限定されない。ヘッダ部４０のサイズは、ヘッダ部４０に収容物８２の名称、成分、服用方法、効能等の各種情報等を記載する観点からは大きい方が好ましいが、包装体１０全体のコンパクト化の観点からは小さい方が好ましく、突起部４４の配置、および、意匠の観点等を鑑みて適宜決定すればよい。また、図１で示す包装体１０では、保持部１２の上端面からベースシート２０およびカバーシート３０の両者が延びてヘッダ部４０を形成しているが、保持部１２の上端面からベースシート２０またはカバーシート３０のいずれか一方のみが延びてヘッダ部４０を形成してもよい。
【００３４】
折り曲げ部４２は、包装体１０の左右方向の全幅に亘って形成され、保持部１２とヘッダ部４０とを接続する。折り曲げ部４２に沿ってヘッダ部４０を折り曲げることにより、一度開封された包装体１０を再度封止（再封）することができる。折り曲げ部４２は、例えば、折り曲がりの外側が凸となる円弧状の断面形状を有するヒンジ部で構成してもよい。また、折り曲げ部４２は、切断部と繋がり部が交互に並ぶミシン目線や、シートの厚み未満の深さの溝線であるハーフカット線、シートを線状に押圧して形成する押し罫線等で構成してもよい。このような折り曲げ部４２を設けることで、ヘッダ部４０は、当該折り曲げ線を中心として折り曲げて、容易に保持部１２と折り重ねることができる。
【００３５】
本実施形態に係る包装体１０では、ヘッダ部４０の正面に、ＰＴＰシート７０の上端面７６と当接可能な当接部１４としての突起部４４が設けられる。ヘッダ部４０において、突起部４４は、ヘッダ部４０を保持部１２に折り重ねたときに開口部２４と対向する位置、即ち、折り曲げ部４２に対して突起部４４と開口部２４が線対称になる位置に、配置される。そして、ヘッダ部４０を保持部１２に折り重ねると、突起部４４がＰＴＰシート７０の上端面７６と当接可能な位置に移動するため、ＰＴＰシート７０の上方の移動が突起部４４によって制限されることになる。即ち、突起部４４がＰＴＰシート７０の上端面７６と当接可能な第１状態では、ＰＴＰシート７０の上下方向の移動可能範囲は、突起部４４と係止部１８とによって規定される。具体的には、ＰＴＰシート７０の移動可能範囲の上限は、ＰＴＰシート７０の上端面７６と突起部４４とが当接する位置であり、下限は、ＰＴＰシート７０の下端面７８と係止部１８とが当接する位置である。なお、ＰＴＰシート７０の上端面７６と突起部４４とが当接する位置で、ＰＴＰシート７０の下端面７８と係止部１８とが当接する場合もあり得る。この場合、ＰＴＰシート７０の上下方向の移動が実質的に不可能となるが、第１状態でのＰＴＰシート７０の移動可能範囲には、ＰＴＰシート７０が係止部１８と突起部４４の両方に当接する場合も含まれるものとする。
【００３６】
突起部４４によるＰＴＰシート７０の移動制限が外れ、包装体１０が第２状態に変形すると、収容部７２と開口部２４とが対向する位置にＰＴＰシート７０を移動させることができる。包装体１０の第２状態でのＰＴＰシート７０の移動可能範囲の上限は、保持部１２の上端部において、ベースシート２０とカバーシート３０の間隙に設けた接着剤層１６にＰＴＰシート７０の上端面７６が当接する位置である。
【００３７】
突起部４４は、円柱形状を有しており、ヘッダ部４０を保持部１２に折り重ねたときに、開口部２４と窓部３２とが重複することで形成される円形貫通孔と嵌合する。突起部４４がかかる円柱形状を有することで、突起部４４が開口部２４の開口端面および窓部３２の開口端面と強く係合し、再開封を制限する機能を発揮する。なお、突起部４４の形状は、ヘッダ部４０を保持部１２に折り重ねたときに、開口部２４の内側を貫通して、開口部２４の開口端面、ＰＴＰシート７０の長手方向端面および窓部３２の開口端面からなる群から選択される少なくとも１つの部位と係合する限りにおいて、制限されない。また、突起部４４をヘッダ部４０の背面に設け、折り曲げ部４２での折り曲げによりヘッダ部４０の背面と保持部１２の背面とが対向するように折り重なる構造を有してもよい。
【００３８】
開口予定部２２は、ベースシート２０の上端部において切断予定線２６に囲まれた略矩形状の領域である。切断予定線２６に沿って開口予定部２２を切り離すことにより、開口部２４が形成される。開口部２４は、上下方向よりも左右方向が長い略矩形状であり、開口部２４からＰＴＰシート７０を取り出すことができる大きさを有する。包装体１０では、ベースシート２０とカバーシート３０との間隙には接着剤層２８が形成されており、切断予定線２６を切断して開口部２４を形成することで、ＰＴＰシート７０から収容物８２を取り出すことができる構成となっている。
【００３９】
開口予定部２２は、ヘッダ部４０と保持部１２とが折り重なる領域に設けられる。包装体１０は、開口部２４の形成後、上述の通りヘッダ部４０が保持部１２に折り重ねられ、当接部１４を構成する突起部４４が開口部２４と窓部３２とで形成される貫通孔に嵌合することで、ＰＴＰシート７０と当接可能な第１状態に変形する。第１状態では、ＰＴＰシート７０を上方に移動させても、開口部２４に嵌まった突起部４４に上端面７６が当たるため、ＰＴＰシート７０の収容部７２を開口部２４に対向させることができず、収容部７２に収容された収容物８２を開口部２４から取り出すことができない。一方、第２状態では、開口部２４に突起部４４が嵌合していないため、ＰＴＰシート７０の収容部７２を開口部２４に対向させて、収容部７２に収容された収容物８２を開口部２４から取り出すことができる。なお、包装体１０では、ＰＴＰシート７０の上端面７６がベースシート２０とカバーシート３０とを接合する接着剤に当接するまで、ＰＴＰシート７０を上方に移動できる。
【００４０】
開口予定部２２を取り囲む切断予定線２６は、例えば複数の切断線を間欠的に形成して構成されるが、ミシン目線やハーフカット線であってもよい。また、開口予定部２２は、取り囲む切断予定線２６の一部を折り目線に変更して、切断予定線２６での切断後、開口予定部２２を形成していたベースシート２０の一部で構成され、当該折り目線で折り曲げ可能な舌片部５０を設けてもよい。これにより、開口予定部２２に記載されていた情報の欠落を防止できる。
【００４１】
以下、本実施形態に係る包装体１０の使用方法を具体的に説明する。包装体１０は、上述の通り、ベースシート２０とカバーシート３０との間隙は連続する接着剤層１６により接合されており、開口予定部２２を開封することで包装体１０から収容物８２を取り出すことができる構成となっていることから、初回開封時の不正開封に対するタンパレジスタント機能を有する。
【００４２】
包装体１０の開封は、開口予定部２２を取り囲む切断予定線２６に沿ってベースシート２０を切断し、包装体１０から開口予定部２２を切除することにより、行う。開封直後の包装体１０では、ヘッダ部４０は折り曲げ部４２で折り曲げられていないため、突起部４４がＰＴＰシート７０と当接可能な位置にない。よって、開封直後の第２状態にある包装体１０に収容されたＰＴＰシート７０は、少なくとも収容部７２が開口部２４と対向する位置にまで移動させることができる。ＰＴＰシート７０を、収容部７２が開口部２４と対向する位置に移動させて、正面側から収容部７２を押圧することで、収容部７２に収容された収容物８２を開口部２４から取り出すことができる。また、ＰＴＰシート７０を開口部２４内を通過するように移動させ、ＰＴＰシート７０に設けたミシン目８０で切除することで、所定個数の収容物８２を取り出すこともできる。後者の場合、収容物８２が収容されている残りのＰＴＰシート７０は、開口部２４を通して再度保持部１２に戻される。
【００４３】
収容物８２を取り出した後、包装体１０を再封するには、まず、ＰＴＰシート７０の下端部が係止部１８に当接するまでＰＴＰシート７０を移動させる。その後、折り曲げ部４２からヘッダ部４０を折り曲げ、ヘッダ部４０を保持部１２に折り重ねるとともに、正面側からヘッダ部４０を保持部１２に押さえつける等して、突起部４４を開口部２４および窓部３２により形成される貫通孔に嵌合させる。図４に、包装体１０の再封状態の一例を示す。包装体１０が再封されると、ＰＴＰシート７０を上方に移動させても、嵌合した突起部４４にＰＴＰシート７０の上端面７６が当接する第１状態となり、収容部７２に収容された収容物８２を開口部２４から取り出すことができなくなる。突起部４４は、開口部２４を通過して開口部２４の開口端面および窓部３２の開口端面と係合しているため、小児が容易には再開封できないようになっている。よって、非常に簡単な操作で再封できるにもかかわらず、優れたＣＲ機能を得ることができる。包装体１０を再開封する場合は、背面側から突起部４４を押圧することで、突起部４４の嵌合が容易に解除された第２状態にすることができる。上述の操作を行うことにより、再度収容物８２を開口部２４から取り出すことができる。かかる再封操作および再開封操作は、簡易であり、且つ、大きな力を要しないため、操作性に非常に優れる。
【００４４】
カバーシート３０には、橋梁部３４が設けられている。橋梁部３４は、左右に並ぶ２つの窓部３２の間を上下方向に延びて、カバーシート３０の上下の両端部と連なっている。保持部１２がＰＴＰシート７０を保持すると、橋梁部３４は、窓部３２から突出し、左右方向で対向する２つの収容部７２の側面の間に挟まれることになる。上述の構造を有することにより、橋梁部３４は、ＰＴＰシート７０の上下移動を妨げない。
【００４５】
また、包装体１０では、ＰＴＰシート７０の上端部にのみ収容物８２を取り出す開口部２４が設けられているため、ＰＴＰシート７０の下側に収容されている収容物８２を取り出すには、ＰＴＰシート７０を開口部２４から引き出す必要がある。よって、ＰＴＰシート７０から全ての収容物８２を取り出すには、ＰＴＰシート７０をミシン目８０で切断し、服用分の収容物８２を取り出すか、または、空の収容部７２を廃棄するために、ＰＴＰシート７０の一部が取り除かれる。その後、残りのＰＴＰシート７０は再度保持部１２に戻される。これが繰り返されると、例えば横１列の収容部７２のみが残る等、ＰＴＰシート７０の上下幅が左右幅より狭くなる場合が容易に想定される。
【００４６】
本実施形態に係る包装体１０は、カバーシート３０に橋梁部３４を設けることで、このような上下幅が左右幅より狭いＰＴＰシート７０に対しても、当初の保持力を維持し、脱落を防止することができる。それは第一に、橋梁部３４とベースシート２０とでＰＴＰシート７０を挟持しているためである。第二に、橋梁部３４とカバーシート３０の長辺側の周縁部とで収容部７２の側面を挟むことで、ＰＴＰシート７０の回転を防ぎ、窓部３２からの脱落を防止するためである。窓部３２に橋梁部３４を設けない場合、上下幅が左右幅より狭いＰＴＰシート７０は、ベースシート２０に沿って回転して、大きく開いた窓部３２より脱落する可能性が高いと考えられる。
【００４７】
図１に示す包装体１０では、窓部３２の開口端面に凹部３６が設けられている。凹部３６は、収容部７２の何れかが開口部２４と対向する位置において、収容部７２の何れかの側面と当接してＰＴＰシート７０を保持する。これにより、ＰＴＰシート７０が安定して保持されるため、収容部７２を押圧して収容物８２を開口部２４から取り出す操作が容易に実施できる。開口部２４と対向する収容部７２と、側面が凹部３６に当接する収容部７２とは、同一であっても異なっていてもよいが、図１に示すように、開口部２４と対向する収容部７２の側面と当接する凹部３６を設けることが好ましい。横１列の収容部７２を残すのみとなったＰＴＰシート７０をも安定して保持できるためである。図１に示す包装体１０では、収容部７２の側面と当接してＰＴＰシート７０を保持する凹部３６が複数設けており、複数の凹部３６間の間隔は、収容するＰＴＰシート７０の収容部７２の間隔と同じである。複数の凹部３６で複数の収容部７２の側面と当接することにより、凹部３６によるＰＴＰシート７０の保持力が向上する。
【００４８】
窓部３２に設けられた凹部３６は、収容部７２の何れかが開口部２４と対向する位置において、ＰＴＰシート７０を保持するが、窓部３２には、何れの収容部７２も開口部２４と対向しない位置において、収容部７２の何れかの側面と当接してＰＴＰシート７０を保持する凹部３６を設けてもよい。このような凹部３６を設けることにより、収容部７２が開口部２４と対向する位置にＰＴＰシート７０を移動させる際の抵抗が増えて、ＣＲ機能が向上する。
【００４９】
以上のように、本実施形態に係る包装体１０は、開封後の小児等の偶発的な行動または悪戯による収容物８２の取り出しを防止する優れたＣＲ機能を有するとともに、初回開封時の不正開封に対するタンパレジスタント機能をも具備し、さらに、容易に再封および再開封できる優れた操作性を有する。なお、上記実施形態は、かかる作用効果を損なわない範囲で適宜設計変更が可能である。
【００５０】
［第２の実施形態］
次に、第２の実施形態に係る包装体１００について図５および図６を参照して説明する。図５は、第２の実施形態の一例である包装体１００を示す。また、図６（ａ）は、図５に示す包装体１００を構成するベースシート２０を示し、図６（ｂ）は、図５に示す包装体１００を構成するカバーシート３０を示す。図５および図６では、図１および図２に示す第１の実施形態に係る包装体１０と同等の機能を有する部材に同一の符号を付している。図５に示す包装体１００と図１に示す包装体１０とは、ベースシート２０およびカバーシート３０で構成される保持部１２、窓部３２、並びに橋梁部３４等が共通するが、当接部１４、ヘッダ部４０、および開口予定部２２等が異なる。
【００５１】
本実施形態に係る包装体１００では、開口予定部２２は、ベースシート２０の上端部に設けられ、上下方向よりも左右方向が長い略矩形状であり、上側の長辺を構成する第１折り目線５２と、他の３辺を構成する切断予定線２６とで囲われている。切断予定線２６を切断し、第１折り目線５２で折り曲げることにより、開口部２４が形成される。開口部２４の形成後、開口予定部２２を形成していたベースシート２０の一部は、第１折り目線５２で折り曲げ可能な舌片部５０となる。包装体１００では、ベースシート２０とカバーシート３０との隙間が接着剤により接合されているため、舌片部５０を折り曲げて開口部２４を形成して、ＰＴＰシート７０から収容物８２が取り出される。また、開口部２４は、開口部２４を通してＰＴＰシート７０を取り出すことができる大きさを有する。
【００５２】
舌片部５０の下側の長辺には、下方に突出する凸状部５４が当接部１４として設けられており、凸状部５４の根元部分には第２折り目線５６が形成されている。図５に示す包装体１００では、カバーシート３０において窓部３２が形成された位置に対応する２つの凸状部５４が設けられている。また、凸状部５４の上下方向の幅が、ＰＴＰシート７０を収容した保持部１２の厚さ、即ち、ベースシート２０、ＰＴＰシート７０のフランジ部およびカバーシート３０の厚さの合計よりも大きくなるよう形成されている。
【００５３】
図７は、包装体１００の再封状態の一例を示す。包装体１００では、第１折り目線５２での折り曲げを戻して舌片部５０で開口部２４を覆い、凸状部５４を第２折り目線５６で正面側に折り曲げて「爪を立てた」状態にすることにより、凸状部５４は、開口部２４の内部を通過して、ＰＴＰシート７０の上端面７６と当接する位置に移動する。これにより、ＰＴＰシート７０の上方の移動が当接部１４としての凸状部５４によって制限される第１状態となり、ＰＴＰシート７０の上下方向の移動可能範囲は、係止部１８と凸状部５４とによって規定される。図５に示す凸状部５４は略台形形状であるが、凸状部５４は他の形状を有してもよく、切断予定線２６の形状により凸状部５４の形状を変更できる。
【００５４】
舌片部５０を第１折り目線５２で背面側に折り曲げるか、或いは、凸状部５４の第２折り目線５６での折り曲げを戻すと、凸状部５４がＰＴＰシート７０の上端面７６と当接できない第２状態となる。第２状態では、保持部１２上方のベースシート２０とカバーシート３０の間の接合部にＰＴＰシート７０の上端面７６が当接するまで、ＰＴＰシート７０は移動可能となる。このように、本実施形態の包装体１００では、当接部１４がＰＴＰシート７０の上端面７６と当接可能な第１状態と、当接部１４がＰＴＰシート７０の上端面７６と当接しない第２状態とで変形する構成は、開口予定部２２を切断してなる舌片部５０および凸状部５４により実現される。
【００５５】
包装体１００では、開口部２４を形成する前の凸状部５４の下端から係止部１８までの上下方向の距離Ｄ１が、ＰＴＰシート７０の長手方向の長さよりも狭くなるように、開口予定部２２および凸状部５４が設定されている。これにより、第１状態において凸状部５４がＰＴＰシート７０の上端面７６と係合して、再封状態が維持される。第１状態から第２状態に変形し、ＰＴＰシート７０に収容された収容物８２を開口部２４から取り出し可能とするにあたっては、この凸状部５４による係合を解かなければならない。これにより、包装体１００は優れたＣＲ機能を発揮する。例えば、距離Ｄ１は、ＰＴＰシート７０の長手方向の長さより１．０ｍｍ以上１．５ｍｍ以下長い範囲とすることが好適である。
【００５６】
包装体１００に収容されるＰＴＰシート７０は、上述の通り、所定個数の収容物８２を含む区画ごとに設けられた切取線で一部が切除され、出荷時より上下の長さが短くなることがある。例えば、係止部１８と凸状部５４との間の長さが出荷時のＰＴＰシート７０に合わせた長さであれば、一部が切除されたＰＴＰシート７０を係止部１８および凸状部５４に同時に当接させることはできない。しかしながら、一部が切除されたＰＴＰシート７０を収容する場合であっても、包装体１００では、カバーシート３０の窓部３２に設けた凹部３６を用いることにより、凸状部５４でＰＴＰシート７０の上端面７６を係合させることができる。包装体１００では、一部が切除されたＰＴＰシート７０の最も上にある収容部７２が、複数あるうち上から２番目にある凹部３６に当接しているときに、当該ＰＴＰシート７０の新たな上端面７６が凸状部５４の下端と第２折り目線５６との間に位置することになるよう、開口予定部２２が形成される。これにより、一部が切除されたＰＴＰシート７０であっても、最も上にある収容部７２と当該上から２番目の凹部３６とが対向する位置で当該ＰＴＰシート７０を保持し、保持された当該ＰＴＰシート７０の上端面７６と凸状部５４とを係合させることができる。
【００５７】
包装体１００では、上述の通り、開口予定部２２を切断してなる舌片部５０および凸状部５４により第１状態と第２状態とで変形する構成が実現されることから、ヘッダ部４０および折り曲げ部４２を備えていない。そのため本実施形態では、より小さなサイズの包装体１００が得られる。
【００５８】
包装体１００の使用方法は、上述した第１の実施形態に係る使用方法と基本的に同じであり、相違点について主に説明する。包装体１００は、ベースシート２０とカバーシート３０との間隙が接合されており、開口予定部２２を開封することで収容物８２を取り出すことができる構成となっていることから、初回開封時の不正開封に対するタンパレジスタント機能を有する。
【００５９】
包装体１００の開封は、切断予定線２６に沿ってベースシート２０を切断することによって行う。切断予定線２６が切断されると、開口部２４が形成されるとともに、下端面に凸状部５４を有する舌片部５０が形成される。開封直後では、凸状部５４はＰＴＰシート７０と当接可能な位置になく、包装体１００は第２状態にある。そのため、収容部７２と開口部２４が対向する位置にＰＴＰシート７０を移動させて、正面側から収容部７２を押圧するか、或いは、ＰＴＰシート７０を開口部２４に通した後にＰＴＰシート７０の一部を切り離すことにより、収容物８２を包装体１００の外部に取り出すことができる。
【００６０】
収容物８２を取り出した後、包装体１００を再封するには、まず、ＰＴＰシート７０の下端部が係止部１８に当接するまでＰＴＰシート７０を移動させる。その後、第１折り目線５２を伸ばして切断予定線２６が切断する前の位置に舌片部５０を戻すとともに、凸状部５４を第２折り目線５６で折り曲げることにより、凸状部５４をＰＴＰシート７０の上端面７６に係合させる。これにより、収容物８２を開口部２４から取り出すことができなくなる。また、収容物８２を開口部２４から取り出すには凸状部５４とＰＴＰシート７０との係合を解く必要があるため、小児にとって容易には再開封できない。
【００６１】
包装体１００の第１状態における凸状部５４とＰＴＰシート７０との係合を解く簡易な方法としては、包装体１００の開口部２４を含む領域を、背面側を凸にして撓ませる方法が挙げられる。当該領域を背面側を凸にして撓ませると、下端部が自由端である舌片部５０には撓まずに平面を維持しようとする力が働くため、やがては凸状部５４とＰＴＰシート７０との係合を解くことができる。この再開封方法は、小児にとっては容易に思いつくものではないが、成人等であれば説明文書等により容易に実施可能である。また、正面側に突出した凸状部５４を背面側に押し込む方法が考えられるが、凸状部５４のサイズは小さく、小児にとって容易に再開封できるものではない。上述の通り、本実施形態に係る包装体１００は、再封および再開封の操作は成人等であれば容易に行える程度であるにもかかわらず、優れたＣＲ機能を有する。
【００６２】
［第３の実施形態］
次に、第３の実施形態に係る包装体１１０について図８および図９を参照して説明する。図８は、第３の実施形態の一例である包装体１１０を示す。また、図９（ａ）は、図８に示す包装体１１０を構成するベースシート２０を示し、図９（ｂ）は、図５に示す包装体１１０を構成するカバーシート３０を示す。図８および図９では、上述した各実施形態に係る包装体１０、１００と同等の機能を有する部材に同一の符号を付している。
【００６３】
図９に示すように、包装体１１０では、カバーシート３０は、窓部３２の上側が開放された正面視で逆コの字型の形状を有する。カバーシート３０は、カバーシート３０の上端面と係止部１８との距離がＰＴＰシート７０の長手方向の長さより大きい長さとなるように形成される。これにより、ベースシート２０およびカバーシート３０で構成される保持部１２に、ＰＴＰシート７０が収容される。また、ベースシート２０とカバーシート３０との間隙の上端側は接着剤等で接合されていないため、包装体１１０は、保持部１２に保持されたＰＴＰシート７０が保持部１２の上端側に前記ＰＴＰシート７０が通過可能な空隙を有する。
【００６４】
ベースシート２０の上端面には、折り曲げ部４２を介して当接部１４であるヘッダ部４０が連設されている。ヘッダ部４０は、ベースシート２０と左右方向の幅が同じである平坦状部位である。包装体１１０では、折り曲げ部４２からヘッダ部４０の先端面４６（上端面）までの距離と、カバーシート３０の上端面から折り曲げ部４２までの距離が略同じになるように、ベースシート２０、カバーシート３０およびヘッダ部４０のそれぞれの形状が定められている。図８に示すように、折り曲げ部４２で折り曲げてヘッダ部４０とベースシート２０とを折り重ねることにより、ヘッダ部４０の先端面４６がＰＴＰシート７０の上端面７６と当接可能な第１状態となる。よって、本実施形態ではヘッダ部４０が当接部１４として機能する。包装体１１０が第１状態にあると、ＰＴＰシート７０を上方に移動させてもＰＴＰシート７０の上端面７６がヘッダ部４０の先端面４６と当接するため、収容部７２と後述する開口部２４とが対向する位置にＰＴＰシート７０を移動させることができない。また、第１状態では、ヘッダ部４０がＰＴＰシート７０の長辺部７４を覆うカバーシート３０の上端面にも当接するため、カバーシート３０とヘッダ部４０との間隙からＰＴＰシート７０を摘み出すことも実際上不可能である。一方、折り曲げ部４２での折り曲げを伸ばし、ヘッダ部４０がベースシート２０から離れると、ヘッダ部４０はＰＴＰシート７０の上端面７６と当接できなくなる。このように、本実施形態の包装体１１０では、第１状態と第２状態とで変形する構成は、ベースシート２０と連設するヘッダ部４０と折り曲げ部４２により実現される。
【００６５】
包装体１１０では、開口予定部２２は、ベースシート２０の上方であって、ヘッダ部４０と折り重なる領域に、切断予定線２６で囲われた略矩形状の領域として設けられる。即ち、開口予定部２２は、カバーシート３０の上端面よりも上方に設けられる。切断予定線２６に沿って開口予定部２２を切り離すことにより形成される開口部２４は、ＰＴＰシート７０に収容された収容物８２を開口部２４から取り出すことのできる形状を有している。
【００６６】
包装体１１０では、保持部１２でＰＴＰシート７０を収容し、開口予定部２２の正面側の領域内に接着剤層２８を形成し、ヘッダ部４０とベースシート２０とが折り重ねられた第１状態で接合することで、初回開封時の不正開封に対するタンパレジスタント機能を発揮させることができる。上述の通り、第１状態にあるヘッダ部４０とベースシート２０とを接合することで、保持部１２に収容されたＰＴＰシート７０から収容物８２を取り出すことは著しく困難になる。切断予定線２６を切断させると、切断予定線２６の切断により切り取られた開口予定部２２はヘッダ部４０と一体化する。これにより、ヘッダ部４０をベースシート２０から離してＰＴＰシート７０の上端面７６と当接しない第２状態に変形できるため、収容部７２と開口部２４とが対向する位置にＰＴＰシート７０を移動させて、開口部２４からＰＴＰシート７０に収容された収容物８２を取り出すことができる。
【００６７】
包装体１１０の使用方法を説明するが、上述した第１の実施形態および第２の実施形態に係る使用方法と基本的に同じであり、相違点について主に説明する。
【００６８】
包装体１１０は、ヘッダ部４０がベースシート２０と折り重ねられ、ヘッダ部４０の先端面４６がＰＴＰシート７０の上端面７６およびＰＴＰシート７０の長辺部７４を覆うカバーシート３０の上端面と当接する第１状態において、ヘッダ部４０とベースシート２０とが接着剤により接合されているため、初回開封時の不正開封に対するタンパレジスタント機能に優れる。
【００６９】
包装体１１０の開封は、開口予定部２２を囲む切断予定線２６に沿ってベースシート２０を切断することにより行う。包装体１１０が開封されると、ヘッダ部４０がベースシート２０から離れ、ヘッダ部４０の先端面４６がＰＴＰシート７０に当接する第１状態から第２状態に変形される。包装体１１０の開封後、収容部７２が開口部２４と対向する位置にＰＴＰシート７０を移動させて、正面側から収容部７２を押圧することで、収容部７２に収容された収容物８２を開口部２４から取り出すことができる。
【００７０】
包装体１１０を再封するには、まず、ＰＴＰシート７０の下端部が係止部１８に当接するまでＰＴＰシート７０を移動させる。その後、折り曲げ部４２からヘッダ部４０を折り曲げ、ヘッダ部４０をベースシート２０に折り重ねることにより、包装体１１０は再封される。すると、ヘッダ部４０の先端面４６はＰＴＰシート７０の上端面７６およびカバーシート３０の上端面と当接する第１状態となり、単にＰＴＰシート７０を移動させるだけでは、収容部７２と開口部２４を対向させて収容部７２から収容物８２を取り出すことができなくなる。また、再封状態では、開口予定部２２から切り離されヘッダ部４０と一体化した部位が開口部２４に再度嵌入して、ヘッダ部４０がベースシート２０に弱く係合する。これにより、小児等が収容物８２を取り出す可能性を減らすＣＲ機能を発揮することができる。また、開口部２４に嵌入した部位を背面側から押すことにより、包装体１１０の再封が容易に解かれて第２状態となり、再度収容物８２の取り出しが可能になる。このように、成人等にとっては簡便な操作で再開封できることから、包装体１１０は操作性に優れている。
【００７１】
図８に示す包装体１１０では、開口予定部２２は上下方向よりも左右方向が長い略矩形状であるが、例えば図１０に示すように、ＰＴＰシート７０における収容部７２の配置および収容物８２の形状に合わせて複数の円形状の開口予定部２２を設けてもよい。また、ヘッダ部４０とベースシート２０とを再接着可能に接着させる弱接着剤を、第１状態におけるヘッダ部４０とベースシート２０との間隙の、接着剤層２８とは異なる領域に塗布してもよい。また、包装体１１０において、重複部に再封の際にベースシート２０の背面側と係合する係合部を設けてもよい。これらにより、より効果的なＣＲ機能を付与できる。
【００７２】
［第４の実施形態］
次に、第４の実施形態について図１１〜図１３を参照して説明する。図１１〜図１３では、上述した各実施形態に係る包装体１０、１００、１１０と同等の機能を有する部材に同一の符号を付している。
【００７３】
図１１は、第４の実施形態の一例に係る包装体１２０を示す。図１１に示す包装体１２０と図５に示す包装体１００とは、ベースシート２０に後述する服用情報領域６０を設けた点で異なるが、当接部１４、ベースシート２０およびカバーシート３０等については形状および機能等が共通する。したがって、包装体１２０の開封、再封および再開封の方法は、上述した第２の実施形態と実質的に同じである。
【００７４】
以下、本実施形態の説明中では、ＰＴＰシート７０は、収容物８２として薬剤８４を収容し、図３に示すように縦に５個、横に２個の薬剤８４を収容するものとする。また、ＰＴＰシート７０においてミシン目８０によって区分された横一列（２個）の収容部７２に、当該薬剤８４の１回分の服用量が収容されているものとする。即ち、薬剤８４の１回分の服用量は２個である。
【００７５】
大半の薬剤には、その薬剤の服用間隔および服用量が指定されている。そのため、前回の服用日時や服用回数等の服用情報を把握することが重要である。しかしながら、服用者、或いは、服用者を看護もしくは介護する者等がこれらの服用情報を失念してしまうことがある。すると、当該薬剤の服用に関して確実な服用コンプライアンスが達成できないおそれがある。薬剤の中には、薬効をより効果的に発揮させ、また副作用を抑制するために、前回の服用から数日間の服用間隔を設けたり、服用回数毎に異なる服用間隔や服用量を設けているなど、煩雑な服用管理を強いられる薬剤もある。したがって、服用者等にとって薬剤の服用をより簡便に管理できる方法が望まれる。
【００７６】
それに対して、図１１（ａ）に示す包装体１２０には、ベースシート２０の正面（ＰＴＰシート７０に対向する面）に、ＰＴＰシート７０に収容される薬剤８４に関する服用情報が記載される服用情報領域６０が設けられ、服用情報領域６０には、下方から順に「１回目」から「５回目」までの服用回数を示す情報が、ＰＴＰシート７０の収容部７２の横１列分の範囲に応じて、印刷されている。なお、服用情報領域６０に記載される情報は、服用回数に限定されるものではなく、服用情報領域６０には、例えば、成分や効能等の薬剤８４に関する情報、服用間隔、服用量、注意事項等の服用に関する指示情報が印刷されていてもよく、また、服用者等によって服用日時を記入するスペースが設けられていてもよい。
【００７７】
図１１（ｂ）に、図１１（ａ）に示す包装体１２０の使用状態の一例を示す。図１１（ｂ）に示すＰＴＰシート７０は、これまでにＰＴＰシート７０から２回分の薬剤８４が取り出され、上側から横２列分のＰＴＰシート７０が切り離された後、包装体１２０に再封されたものである。図１１（ｂ）に示すとおり、この再封状態において、ＰＴＰシート７０が凸状部５４と当接する位置（ＰＴＰシート７０の上端面と開口部２４の下端が近接する位置）にあると、服用情報領域６０に印刷された「１回目」および「２回目」の表示が出現する。これは、２回分の薬剤８４を服用し、上部の横２列が切り離されてＰＴＰシート７０が短くなったことによる。このように、図１１に示す包装体１２０を用いると、ＰＴＰシート７０に収容された薬剤８４の服用回数を明確に把握することができるため、服用者は勿論、服用者以外の同居家族、医師、看護師等にとっても、薬剤８４の服用管理が容易になり、服用コンプライアンスの向上に役立てることができる。
【００７８】
本実施形態の変形例を、図１２を参照しながら説明する。図１２（ａ）に示す包装体１３０の服用情報領域６０には、ＰＴＰシート７０の収容部７２の横１列分の範囲に応じて、下方から順に「１回目」から「５回目」までの服用回数を示す情報が印刷されるとともに、服用者等が１回分の薬剤８４を服用するごとに、その服用日を記入できるスペースが設けられている。図１１に示す包装体１２０における服用情報領域６０の記載では、服用回数は視認可能となるが、前回の服用日時等の服用情報を把握可能とはならない。そこで、図１２に示すとおり、服用情報領域６０に、服用回数の記載とともに、服用日の記入スペースを設け、服用者等が服用ごとに服用日を記入することで、前回までの服用回数、服用日および服用の有無を容易に確認することができる。
【００７９】
図１２（ｂ）に、図１２（ａ）に示す包装体１３０の使用状態の一例を示す。図１２（ｂ）に示す例では、３日間の服用間隔を有する薬剤８４がＰＴＰシート７０に収容されている。また、図１２（ｂ）では、これまでに２回分の薬剤８４がＰＴＰシート７０から取り出され、上側から横２列分のＰＴＰシート７０が切り離された後、包装体１３０に再封されている。図１２（ｂ）に示す服用情報領域６０の記入スペースには、それぞれ１回分の薬剤８４を服用した日付が記入されており、前回の服用日が視認可能となっている。このように、包装体１３０を用いることにより、ＰＴＰシート７０に収容された薬剤８４の服用回数および前回の服用日を明確に把握することができるため、服用者等にとって薬剤８４の服用管理が容易になる。特に、毎日定時の服用ではなく、例えば数日間の服用間隔が空く場合など、前回の服用日時を明確に把握する必要がある薬剤８４の服用を管理する際に、図１２に示すように、服用情報を記入するスペースを有する服用情報領域６０をベースシート２０に設けた包装体１３０は、有用である。
【００８０】
本実施形態の変形例を、図１３を参照しながら説明する。図１３に示す包装体１４０と図５に示す包装体１００とは、ベースシート２０の形状、並びに、服用情報領域６０として後述する服用指示領域６２および情報記入領域６４を設けた点で異なるが、それ以外の各部位の形状および機能等は共通する。よって、包装体１４０の開封、再封および再開封の方法は、上述した第２の実施形態と実質的に同じである。
【００８１】
包装体１４０は、図１３に示すように、ベースシート２０がカバーシート３０よりも広く、カバーシート３０の長辺部７４の右側に張り出した形状を有している。包装体１４０において、服用情報領域６０は、ＰＴＰシート７０と対向する領域に設けられ、薬剤８４の服用回数に応じた服用指示情報が印刷されている服用指示領域６２と、カバーシート３０の長辺部の一方に隣接してカバーシート３０と対向しない領域に設けられ、薬剤８４の服用回数に応じた記入スペースを有する情報記入領域６４とを含んで構成されている。服用指示領域６２には、収容部７２の横１列分の範囲に応じて、下方から順に、１回目から２回目まで、２回目から３回目まで、３回目から４回目まで、４回目から５回目までの各服用間隔が印刷されており、図１３（ａ）に示す包装体１４０では、各服用間隔は「３日間」であるとされている。この服用間隔は、薬剤８４の種類に応じて適宜変更される。
【００８２】
情報記入領域６４は、カバーシート３０の右端より右側に設けられた領域である。情報記入領域６４には、ＰＴＰシート７０の収容部７２の横１列分の範囲に応じて、下方から順に「１回目」から「５回目」までの服用回数を示す情報が印刷されるとともに、服用者等が１回分の薬剤８４を服用するごとに、その服用日を記入できるスペースが設けられている。情報記入領域６４を設けて、服用者等が服用ごとに服用日を記入することで、前回までの服用回数、服用日および服用の有無を容易に確認することができる。
【００８３】
図１３（ｂ）に、図１３（ａ）に示す包装体１４０の使用状態の一例を示す。図１３（ｂ）に示す例では、３日間の服用間隔を有する薬剤８４がＰＴＰシート７０に収容されている。また、図１３（ｂ）では、これまでに１回分の薬剤８４がＰＴＰシート７０から取り出され、上側から横１列分のＰＴＰシート７０が切り離された後、包装体１４０に再封されている。情報記入領域６４の記入スペースには、１回目の服用日が記載されている。ここで、服用指示領域６２に印刷された服用指示情報のうち、ＰＴＰシート７０が凸状部５４に当接する位置において出現する「１回目から２回目までの服用間隔」と、情報記入領域６４に記載されている「１回目の服用日」とを照合することにより、服用者等は、薬剤８４の「次回の服用日」を明確に把握することができる。ここで、服用間隔と服用日とが並んで記載されていることから、両者の照合を容易に行える。よって、包装体１４０を用いることにより、服用者等にとって薬剤８４の服用管理が容易になる。図１３に示すような、服用情報領域６０として、服用指示情報が印刷されている服用指示領域６２と、服用回数に応じた記入スペースを有する情報記入領域６４とを設けた包装体１４０は、数日間の服用間隔が空く場合、或いは、服用回数毎に異なる服用間隔や服用量を設けている場合など、薬剤８４が煩雑な服用管理を要求される種類のものである場合に、特に有用である。
【００８４】
これまで説明した各実施形態の包装体によれば、開封後の小児等の偶発的な行動または悪戯による収容物８２の取り出しを防止する優れたＣＲ機能を有するとともに、初回開封時の不正開封に対するタンパレジスタント機能をも具備し、さらに、服用者が容易に再封および再開封できる優れた操作性を有する。
【００８５】
［他の実施形態］
これまでの説明では、ベースシート２０とカバーシート３０とが異なる部材である構成のみを例示したが、ベースシート２０およびカバーシート３０をプラスチックシートからなる１つのシート状成形体から形成してもよい。例えば、ベースシート２０およびカバーシート３０が開口予定部２２とは反対側の長手方向端面（図１等の端面）において連設した形状を有するプラスチックシートを、当該端面で折り曲げた後、ベースシート２０とカバーシート３０との間隙を接着剤で接合することにより、本包装体を製造してもよい。或いは、カバーシート３０が各辺を含む領域ごとに分割され、各分割領域がベースシート２０の対応する各辺に連設してなるシート状成形体を成形し、ベースシート２０の各辺に対応する折り目線を折り曲げて、本包装体を製造してもよい。この場合、折り曲げてなるカバーシート３０の各領域は、接着剤を用いてベースシート２０と接合してもよく、接合しなくてもよい。
【符号の説明】
【００８６】
１０，１００，１１０，１２０  包装体、１２  保持部、１４  当接部、１６  接着剤層、１８  係止部、２０  ベースシート、２２  開口予定部、２４  開口部、２６  切断予定線、２８  接着剤層、３０  カバーシート、３２  窓部、３４  橋梁部、３６  凹部、４０  ヘッダ部、４２  折り曲げ部、４４  突起部、４６  先端面、５０  舌片部、５２  第１折り目線、５４  凸状部、５６  第２折り目線、６０  服用情報領域、６２  服用指示領域、６４  情報記入領域、７０  ＰＴＰシート、７２  収容部、７４  長辺部、７６  上端面、７８  下端面、８０  ミシン目、８２  収容物、８４  薬剤。
【図１】
2018131214.tif 000003
【図２】
2018131214.tif 000004
【図３】
2018131214.tif 000005
【図４】
2018131214.tif 000006
【図５】
2018131214.tif 000007
【図６】
2018131214.tif 000008
【図７】
2018131214.tif 000009
【図８】
2018131214.tif 000010
【図９】
2018131214.tif 000011
【図１０】
2018131214.tif 000012
【図１１】
2018131214.tif 000013
【図１２】
2018131214.tif 000014
【図１３】
2018131214.tif 000015